(57)【要約】【課題】光源装置が有するリフレクタ内部の冷却を効率よく実行できるようにする。【解決手段】光源装置は、ランプバルブ１と、そのランプバルブ１から射出された光を反射するリフレクタ２と有している。そしてリフレクタ２は、反射面が複数の幾何形状からなる内側リフレクタ部２ａと外側リフレクタ部２ｂから構成され、これら各反射面の接続部分に、スリット６ａ，６ｂが設けられる。スリット６ａ，６ｂは、ランプバルブ１に対してそれぞれ上下となる位置に配設され、これにより、リフレクタ２の内部から外部に空気が通過可能となり、自然対流による冷却においても、またファンによる強制冷却においても、効率的な冷却を行うことができるようになる。また、この光源装置を用いたプロジェクタを構成することができる。【選択図】図１
2005309121.tif 000002
【特許請求の範囲】
【請求項１】
ランプバルブと、該ランプバルブから射出された光を反射するリフレクタとを有し、該リフレクタは、光を反射する反射面が複数の幾何形状からなる多重反射面構成を有し、該多重反射面を構成する各反射面の接続部分の一部に、前記リフレクタの内部から外部に空気が通過可能な開口が形成されていることを特徴とする光源装置。
【請求項２】
請求項１に記載の光源装置において、前記開口は、前記ランプバルブの光軸に直交する直線のうち前記光源装置を使用位置に設置したときの鉛直方向に一致する直線と、前記リフレクタとが交差する位置に形成されていることを特徴とする光源装置。
【請求項３】
請求項２に記載の光源装置において、前記直線は、前記ランプバルブの発光部に交わることを特徴とする光源装置。
【請求項４】
請求項２に記載の光源装置において、前記直線は、前記ランプバルブの発光部から光の出射方向に離間した光軸上の点と交わることを特徴とする光源装置。
【請求項５】
請求項１ないし４のいずれか１に記載の光源装置において、前記リフレクタ内側の温度上昇に伴う自然対流により前記開口からの排気及び吸気を生じさせることによって、前記リフレクタの放熱を行うことを特徴とする光源装置。
【請求項６】
請求項１ないし４のいずれか１に記載の光源装置において、前記リフレクタの内側に、空気を強制的に送り込む送風手段を有し、該送風手段により前記リフレクタの内側に送り込まれた空気を前記開口から外部に排出することによって、前記リフレクタの放熱を行うことを特徴とする光源装置。
【請求項７】
請求項１ないし６のいずれか１に記載の光源装置において、前記リフレクタの光出射側開口面に、透光性の前面板が備えられていることを特徴とする光源装置。
【請求項８】
請求項１ないし７のいずれか１に記載の光源装置において、前記リフレクタの光出射側開口面が網で覆われていることを特徴とする光源装置。
【請求項９】
請求項１ないし８のいずれか１に記載の光源装置において、前記幾何形状は、回転楕円面または回転放物面であることを特徴とする光源装置。
【請求項１０】
請求項１ないし９のいずれか１に記載の光源装置を含む照明光学系と、前記照明光学系からの光を画像情報に応じて変調する電気光学装置と、該電気光学装置で得られる変調光線束を投写する投写光学系とを備えることを特徴とするプロジェクタ。
【請求項１１】
請求項１０に記載のプロジェクタにおいて、前記電気光学装置に前記画像情報を供給して駆動するための駆動部を備えることを特徴とするプロジェクタ。
【発明の詳細な説明】
【技術分野】
【０００１】
本発明は、光源装置及び該光源装置を備えたプロジェクタに関し、より詳細には、光源ランプにより発生する熱の冷却機構を備えた光源装置と、その光源装置の光源光によって映像投射を行うプロジェクタに関する。
【背景技術】
【０００２】
光源装置から出射した光源光によって、スクリーン等に画像投射を行うようにしたプロジェクタが提供されている。このような光源光を出射させる光源装置には、光源ランプとして、メタルハライドランプや超高圧水銀ランプといった放電ランプが使用される。このような光源ランプを使用する光源装置においては、ほとんどの場合、その光源ランプにより発生した熱を冷却するための冷却装置を必要とする。
【０００３】
例えば、光源のランプバルブ（管球）の温度が均一化されないと、ランプバルブの内部に封入されたガスがその内壁に蒸着し、ランプバルブの白濁や黒化が誘発される。この結果、ランプバルブから出射する光の輝度低下やフリッカーが生じたり、ランプバルブが破裂する原因となったりする。また、ランプバルブの先端シール部のモリブデンは、高温で酸化しやすいという特性がある。したがって、これらの特性悪化を抑制するために、ランプバルブの冷却を行って、信頼性を保つ必要がある。
【０００４】
図７は、従来の光源装置の一例を説明するための概略構成図で、楕円リフレクタを有する光源装置について示すものである。図７において、１はランプバルブ（管球部）、２はリフレクタ、３はランプベース、４は防爆ガラス、５は網、７はファン、８はリフレクタの前縁に形成した切り欠き、９はランプベースに設けた開口、Ａは光軸（Ｚ軸）、Ｆはエアーフロー、Ｐ１，Ｐ２は焦点位置である。
【０００５】
ランプバルブ１は、リフレクタ２に設けられている反射面（焦点Ｐ１，Ｐ２を焦点とする楕円面ａで構成される）の第１焦点Ｐ１と、ランプバルブ１の発光部とが一致するように配置され、ランプベース３を介して固定されている。これにより、第１焦点Ｐ１で発光した光ｒは第２焦点Ｐ２に焦点を結ぶ。
【０００６】
防爆ガラス４は、ランプバルブ１が破裂した時に、ガラスの破片の飛散よる照明光学系の破損を防ぐために取り付けられている。ここで、リフレクタ２の内部温度と、その外部温度とに着目すると、防爆ガラス４等で覆われているリフレクタ２の内部は非常に高温となるため、従来ではリフレクタ２の前縁に切り欠き８を設けるか、もしくはその切り欠き８に加えてランプベース３に開口９を設け、リフレクタ２の内部冷却を行うためのファン７を設置する構成がとられている。ファン７による冷却風は、エアーフローＦに示される流れでリフレクタ２の内部を冷却しながらその外部に排出される。このとき、ランプバルブ１が破裂した時に備えて、ガラス飛散防止のための網５が切り欠き８の部分に設置される。従来は上記のような構成で、強制対流による冷却が行われている。また同様の構成で、冷却用のファン７を用いることなく、自然対流により冷却を行う構成もある。
【０００７】
上述のごとくの強制対流によるシステムとして、例えば、特許文献１には、発光管（ランプバルブ）の冷却を行うとともに、発光管が破裂したときに発生するガラスや金属の破片の飛散を防止できるようにした光源装置が開示されている。ここでは、目の細かい金属等で作成された網をランプの通風吹き出し口や冷却風排風穴に配置して、発光管が破裂したときに生じる破片の飛散を防止している。
【特許文献１】特開２００１−１２５１９５号公報
【発明の開示】
【発明が解決しようとする課題】
【０００８】
上述の図７に示すように、リフレクタ２の内部を冷却するためのファン７を設けてその冷却風をリフレクタ２の外部に排出するようにした強制冷却の方式においては、冷却用のファン７によって光源装置のセットサイズが大きくなってしまうという問題が生じる。またファン７からの流入空気は、リフレクタ２の切り欠き８と、ランプベース３に設けられた開口９とから排気されるが、このときに、ランプベース３に大きな開口を設けることが困難なこと、また光量の損失を考慮するとリフレクタ２後部の貫通孔を大きくすることができないことから、ランプベース３からの排気は流路抵抗が非常に大きくなり、冷却ファン７による流入空気の大半は網５が設置された切り欠き８から排気される。これはランプバルブ１近傍の冷却を必要とする部分に冷却風が流れないことを意味している。
【０００９】
上記の問題を解決するため、例えば、網５が設置された切り欠き８からの排気を行わずに、この部分からも冷却用のファンによる送風を行って、ランプベース３からのみ排気を行うようにしたシステムが提案されている。しかしながら、このような構成においてもリフレクタ２の後部貫通孔とランプベース３に設けられた開口９とによる通風抵抗は高いことには変わりがなく、所望の空気流量を実現するためにはファンの回転数を上げて高風速にする必要があり、これに起因する騒音が問題となっていた。
【００１０】
また、冷却用のファンを用いないで自然対流により冷却を行うシステムを考えた場合、光源装置の中でもっとも発熱量の大きいランプバルブ１の冷却に有効な部位、例えば、ランプバルブ１の直上や直下のリフレクタ２の領域には、開口を設置できないため、十分な冷却を行うことができない。従来の構造でリフレクタ２に開口を設けると、その反射面の面積が減少し、特にランプバルブ１の直上や直下は発光量が多いために、開口の影響により射出光量が低下して投影画像の明るさが低下するという問題が生じる。
【００１１】
また従来の自然対流による冷却方式では、リフレクタ２の前縁に設けた切り欠き８程度の開口で給排気を行うため、たとえ空気が流れたとしても、リフレクタ２の最奥部付近にあるランプバルブ１付近の空気を排気することはできなかった。さらにランプベース３に開口９があっても、その開口９は、熱源となるランプバルブ１とほぼ同じ高さに配置しているため、自然対流を促進するための空気の流入や流出が生じにくいという問題が生じる。
【００１２】
上記のような状況において、現在のプロジェクタにおいては、（１）明るさを改善するためのランプバルブの高出力化、（２）小型のセットサイズを実現するための各部品の小型化、及び部品点数の低下、及び（３）低騒音なセットの実現、が求められている。
これらを総合して鑑みると、発熱密度の上昇が今後も顕著になることを意味しており、従来の冷却方式のままでは対応することができない。
【００１３】
本発明は、上述のごとき課題を解決するためになされたもので、ランプバルブから発生する熱量によって高温となるリフレクタ内部の冷却を効率よく実行することができるようにした光源装置及び該光源装置を用いたプロジェクタを提供することを目的とするものである。
【課題を解決するための手段】
【００１４】
第１の技術手段は、ランプバルブと、ランプバルブから射出された光を反射するリフレクタとを有し、リフレクタは、光を反射する反射面が複数の幾何形状からなる多重反射面構成を有し、多重反射面を構成する各反射面の接続部分の一部に、リフレクタの内部から外部に空気が通過可能な開口が形成されていることを特徴としたものである。
【００１５】
第２の技術手段は、第１の技術手段において、上記の開口が、ランプバルブの光軸に直交する直線のうち光源装置を使用位置に設置したときの鉛直方向に一致する直線と、リフレクタとが交差する位置に形成されていることを特徴としたものである。
【００１６】
第３の技術手段は、第２の技術手段において、上記の直線が、ランプバルブの発光部に交わることを特徴としたものである。
【００１７】
第４の技術手段は、第２の技術手段において、上記の直線が、ランプバルブの発光部から光の出射方向に離間した光軸上の点と交わることを特徴としたものである。
【００１８】
第５の技術手段は、第１ないし第４のいずれか１の技術手段おいて、リフレクタ内側の温度上昇に伴う自然対流により開口からの排気及び吸気を生じさせることによって、リフレクタの放熱を行うことを特徴としたものである。
【００１９】
第６の技術手段は、第１ないし第４のいずれか１の技術手段において、リフレクタの内側に、空気を強制的に送り込む送風手段を有し、送風手段によりリフレクタの内側に送り込まれた空気を開口から外部に排出することによって、リフレクタの放熱を行うことを特徴としたものである。
【００２０】
第７の技術手段は、第１ないし第６のいずれか１の技術手段において、リフレクタの光出射側開口面に、透光性の前面板が備えられていることを特徴としたものである。
【００２１】
第８の技術手段は、第１ないし第７のいずれか１の技術手段において、リフレクタの光出射側開口面が網で覆われていることを特徴としたものである。
【００２２】
第９の技術手段は、第１ないし第８のいずれか１の技術手段において、上記の幾何形状が、回転楕円面または回転放物面であることを特徴としたものである。
【００２３】
第１０の技術手段は、第１ないし第９のいずれか１の光源装置を含む照明光学系と、照明光学系からの光を画像情報に応じて変調する電気光学装置と、電気光学装置で得られる変調光線束を投写する投写光学系とを備えることを特徴としたものである。
【００２４】
第１１の技術手段は、第１０の技術手段において、電気光学装置に画像情報を供給して駆動するための駆動部を備えることを特徴としたものである。
【発明の効果】
【００２５】
本発明によれば、ランプバルブから発生する熱量によって高温となるリフレクタ内部の冷却を効率よく実行することができる光源装置と、その光源装置を使用したプロジェクタを提供することができる。
特に、多重構造のランプリフレクタの反射面に、反射面積を低減させることなく、給排気用の開口を設けることができるので、熱量の大きな部位に対してフレッシュエアを効率的に導入することができる。そしてこの開口は、ランプバルブの鉛直上下方向に配設されているため、煙突効果による換気を促進し、ランプバルブ及びランプリフレクタ内部の温度を効率的に低下させることができる。
【００２６】
また上記の開口は、ランプバルブの光軸方向の位置において、ランプバルブの配設位置に相当する位置からリフレクタの出射方向にシフトさせて設けることにより、反射面の光量が低下することなく、ランプバルブ付近の空気をより排出しやすい構造とすることができる。
【００２７】
また自然対流によってランプバルブ及びリフレクタ内部を効率良く冷却することができ、光源としての信頼性が向上する。また強制冷却を行う場合は、従来の強制空冷システムと比較して低騒音なシステムを構成できる。
さらにリフレクタの前面の開口面に透光性の前面板や網を備えることにより、仮にランプバルブが破裂したとしても、ガラス破片が外部へ飛散することを防止することができる。
【００２８】
そして上記のような高効率の冷却特性を有する光源装置を搭載することにより、騒音が少なく、コストメリットのある、ユーザーフレンドリーなプロジェクタを提供することができる。
【発明を実施するための最良の形態】
【００２９】
本発明による光源装置は、ランプリフレクタに開口を設けることにより、リフレクタ内部からの排熱を効率よく実行可能としている。このときに、上記開口は、従来では設置することのできなかった、ランプバルブと同一のＺ座標位置、もしくは出射側にシフトしたＺ座標位置のリフレクタ領域に設けることを特徴とする（光軸方向をＺ軸とする）。
【００３０】
ここで、本発明では、開口を設けることによる反射光量の低下を防ぐために、リフレクタの反射面を多重構造としている。多重反射面は、複数の幾何形状からなる複数の反射面を接続することによって構成されている。そして、その各反射面の接続部分に開口を設けることにより、反射面における反射光量を損失することなく、ランプバルブの上下というクリティカルな部位で開口を設けることを可能としている。
【００３１】
そして、リフレクタの開口位置をランプバルブの鉛直上下付近もしくは鉛直上下位置から出射側にシフトさせることにより、ランプバルブの熱によって熱せられた空気が上方外部に排出され、冷たい空気が下方外部から流入するという煙突効果を効率良く実現することができる。これにより、ランプバルブのような高発熱部品において、顕著な冷却効果を実現することができる。
【００３２】
以下に本発明の実施形態形を添付された図面を参照しながらさらに具体的に説明する。なお、実施形態を説明するための全図において、同様の機能を有する部分には同じ符号を付け、その繰り返しの説明は省略する。
【００３３】
(実施形態１)
図１は、本発明による光源装置の第１の実施形態を説明するための概略構成図で、リフレクタ反射面を２重構造とした実施形態を示すものである。図１において、１はランプバルブ（管球部）、２はリフレクタ、２ａは内側リフレクタ部、２ｂは外側リフレクタ部、３はランプベース、４は防爆ガラス、５は網、６ａは上部スリット、６ｂは下部スリット、Ａは光軸（Ｚ軸）、Ｆはエアーフロー、ｒはランプバルブから発光した光、Ｐ１，Ｐ２は焦点位置である。
【００３４】
リフレクタ２は、光を反射する反射面が複数の幾何形状からなる多重反射面を構成している。本実施形態では、リフレクタ２は、内側リフレクタ部２ａと外側リフレクタ部２ｂとから構成され、これにより２重構造の反射面が形成されている。上記複数の幾何形状はここでは回転楕円面であり、内側リフレクタ部２ａと外側リフレクタ部２ｂの反射面は、それぞれ同じ焦点位置（Ｐ１，Ｐ２）をもつ異なる大きさの楕円面ａ，ｂに従って形成されている。従って、これら２つのリフレクタ部２ａ，２ｂの反射面は、同一の焦点位置Ｐ１，Ｐ２を有する。
【００３５】
このとき、内側リフレクタ部２ａは、外側リフレクタ部２ｂよりも必ず内側に存在する。このようなリフレクタ２の内部にランプバルブ１を配置し、ランプベース３に固定する。このとき、ランプバルブ１の発光部が、第１焦点位置Ｐ１に一致するように配置する。ここで、本発明においては、ランプベース３からの排気は不要であるため、ランプバルブ３をリフレクタ２に直接固定するように構成してもよい。
【００３６】
上記のごとくの構成により、第１焦点Ｐ１位置から発光した光ｒは、内側リフレクタ部２ａ及び外側リフレクタ部２ｂのいずれで反射した場合でも、全て防爆ガラス４を通過して同じ第２焦点位置Ｐ２に集光する。このような構成とすることにより、リフレクタ２における光学的損失を被ることなく、リフレクタ２に給排気用の開口であるスリット６ａ，６ｂを設けることが可能となる。
【００３７】
スリット６ａ，６ｂは、多重反射面を構成する外側リフレクタ部２ｂの反射面と内側リフレクタ部２ａの反射面との接続部分に設けられる。ランプバルブ１から放射上に射出する光は、その接続部分に入射することはなく、接続部分近傍に入射する光は、内側リフレクタ部２ａまたは外側リフレクタ部２ｂのいずれかの反射面で必ず反射される。
なお、本発明による上記開口は、その形状を限定するものではないが、多重反射面を構成するためにその長手方向が反射面の周方向に一致するスリット形状とすることが好適である。
【００３８】
これらスリット６ａ，６ｂは、最も発熱量の大きいランプバルブ１の周囲に設けられるが、本実施形態では、スリット６ａ，６ｂは、ランプバルブ１の発光部のＺ軸の座標位置に合わせて鉛直方向上下の位置に配設される。また効率良く排気を行うために、ランプバルブ１の上方の上部スリット６ａと、ランプバルブ１の下方の下部スリット６ｂのみを設けるものとし、リフレクタ２の周方向におけるその他の位置には、スリットを設けないようにする。換言すれば、スリット６ａ，６ｂは、ランプバルブの光軸Ａに直交する直線のうち、リフレクタ２を使用位置に設置したときの鉛直方向に一致する直線と、リフレクタ２の反射面とが交差する位置に形成されていて、本実施形態では、その直線がランプバルブ１の発光部に交わる位置に一致するように構成されている。
【００３９】
上記のような構成とすることにより、ランプバルブ１により熱せられた高温の空気が、上方の上部スリット６ａから排気され、下部スリット６ｂから常温の空気が吸入されて、いわゆる煙突効果が発現する。これにより、自然対流によりもっとも効果の高い部位へフレッシュな空気を送り込み、その部位から加熱された空気を排出する、サーマルパスを形成することができる。
【００４０】
上述のように、本実施形態の構成により、従来の自然対流による冷却方式では十分に実現することができなかったリフレクタ２内部の換気を効率良く行うことが可能となる。またスリット６ａ，６ｂの部分に網５を設けておけば、ランプバルブ１の破裂が生じてもその破片の飛散を防止することができる。
【００４１】
本実施形態において、リフレクタ２の出射側前面の開口面に、透光性の前面板として防爆ガラス４が備えられる。また、さらにその開口面を覆う図示しない網を備えるようにしてもよい。防爆ガラス４と網は併用してもよく、またこれらのいずれかのみを配設するようにしても良い。これらにより、仮にランプバルブ１が破裂したとしても、ガラス破片が外部へ飛散することを防止することができる。
【００４２】
(実施形態２)
図２は、本発明による光源装置の第２の実施形態を説明するための概略構成図である。本実施形態は、上記実施形態１におけるリフレクタ２に設けたスリット６ａ，６ｂの設置位置を光軸方向にシフトするように変更したものである。
ここでは、リフレクタ２の反射面に設けるスリット６ａ，６ｂの配設位置をＺ軸方向で前後させることにより、リフレクタ２内部の冷却条件が変化する。このとき、自然対流による空冷に適しているのは、スリット６ａ，６ｂをランプバルブ１の発光部位置からＺ軸方向に多少前方（出射方向）にシフトさせた位置である。換言すれば、本実施形態におけるスリット６ａ，６ｂは、ランプバルブの光軸Ａに直交する直線のうち、リフレクタ２を使用位置に設置したときの鉛直方向に一致する直線と、リフレクタ２の反射面とが交差する位置に形成されていて、その直線がランプバルブ１の発光部から光の出射方向に離間した光軸上の点と交わる位置に一致するように構成されている。
【００４３】
また実施形態１と同様に、ランプバルブ１から放射上に射出する光は、多重反射面を構成する外側リフレクタ部２ｂの反射面と内側リフレクタ部２ａの反射面との接続部分に入射することはなく、接続部分近傍に入射する光は、内側リフレクタ部２ａまたは外側リフレクタ部２ｂのいずれかの反射面で必ず反射される。
【００４４】
また本実施形態においても上記実施形態１と同様に、リフレクタ２の出射側前面の開口面に、透光性の前面板として防爆ガラス４が備えられる。また、さらにその開口面を覆う図示しない網を備えるようにしてもよい。防爆ガラス４と網は併用してもよく、またこれらのいずれかのみを配設するようにしても良い。これらにより、仮にランプバルブが破裂したとしても、ガラス破片が外部へ飛散することを防止することができる。
上記のように構成することにより、光量ロスがなく、かつ空気流路の抵抗を低減することができ、自然対流による冷却でも効果の高い排熱を行うことができる。
【００４５】
(実施形態３)
図３は、本発明による光源装置の第３の実施形態を説明するための概略構成図である。本実施形態は、上記実施形態１の構成に加えて、強制冷却を行うための送風手段であるファン７を設けたものである。ここでは、例えば、従来例で説明したようにリフレクタ２の前縁に切り欠き８を設け、その切り欠き８を通してリフレクタ２の内部にファン７による冷却風を導入することができる。勿論ここでは、上記の切り欠き８に限ることなく、空気を導入できる開口が形成される構成であれば適宜採用することができる。
本構成によれば、冷却風の流路抵抗が少なく、かつ必要な部位（高温部位）にフレッシュエアを流すことができるため、従来のようなファンによる騒音発生を防止することができる。
【００４６】
（実施形態４）
図４は、本発明による光源装置の第４の実施形態を説明するための概略構成図である。本実施形態は、上記実施形態３と同様に実施形態１の構成に加えて、強制冷却を行うための送風手段であるファン７を設けたものである。本実施形態では、リフレクタ２前縁の上方及び下方の２箇所に切り欠き８を設け、その切り欠き８のそれぞれを通してリフレクタ２の内部にファン７による冷却風を導入することができる。この場合も、上記の切り欠きに限ることなく、空気を導入できる開口が形成される構成であれば適宜採用することができる。また冷却用のファンは、ここではリフレクタ２の背面後方に設置し、適宜２箇所の切り欠き８にフレッシュエアを導入するが、その設置位置は限定されるものではなく、ファン７から送出される空気をリフレクタ２の内部に導入できる構成を採ることができればよい。
本構成によれば、冷却風の流路抵抗が少なく、かつ必要な部位（高温部位）にフレッシュエアを流すことができるため、従来のようなファンによる騒音発生を防止することができる。
【００４７】
（実施形態５）
図５は、本発明による光源装置の第５の実施形態を説明するための概略構成図である。
上記の各実施形態は、楕円リフレクタによる構成例を示しているが、本発明は、放物面リフレクタ（パラボラリフレクタ）においても適用することができる。すなわち、多重反射面を構成する複数の幾何形状として、回転放物面を用いたリフレクタに対しても本発明を適用することができる。
図５に示す構成は、２重構造の方物反射面を持ったリフレクタ２を有し、そのリフレクタ２に、スリット６ａ，６ｂを形成している。本実施形態は、上記実施形態２の構成に対応する構成を示しているが、他の実施形態に対しても、上記放物面リフレクタを適用できることは明らかである。
【００４８】
（実施形態６）
上述の各実施形態の光源装置をプロジェクタに適用することで、効率的な冷却を行うことにより、ランプの寿命が長く高品質の画像投影を行うことができるプロジェクタを提供することができる。
図６は、本発明のプロジェクタの一実施形態を説明するためのブロック図である。プロジェクタは、上記の高効率冷却特性を有する光源装置１０ａを含む照明光学系１０と、その照明光学系１０から出射した光を画像情報に応じて変調する電気光学装置１１と、その電気光学装置１１で得られる変調光線束を投写する投写光学系１２とを備えている。さらには、上記の構成において、電気光学装置に画像情報を供給して駆動するための駆動部１３を備えるようにしてもよい。
【００４９】
本プロジェクタにおいて、上述の強制冷却を行わない光源装置１０ａを用いることにより、リフレクタ２内部へ空気を送風する冷却ファンを用いることなく、ランプバルブ１を冷却することが可能となる。また強制冷却を行う光源装置を用いることで、冷却効率が高くかつ低騒音のプロジェクタを提供することができる。
【図面の簡単な説明】
【００５０】
【図１】本発明による光源装置の第１の実施形態を説明するための概略構成図である。
【図２】本発明による光源装置の第２の実施形態を説明するための概略構成図である。
【図３】本発明による光源装置の第３の実施形態を説明するための概略構成図である。
【図４】本発明による光源装置の第４の実施形態を説明するための概略構成図である。
【図５】本発明による光源装置の第５の実施形態を説明するための概略構成図である。
【図６】本発明のプロジェクタの一実施形態を説明するためのブロック図である。
【図７】従来の光源装置の一例を説明するための概略構成図である。
【符号の説明】
【００５１】
１…ランプバルブ（管球部）、２…リフレクタ、２ａ…内側リフレクタ部、２ｂ…外側リフレクタ部、３…ランプベース、４…防爆ガラス、５…網、６ａ…上部スリット、６ｂ…下部スリット、７…ファン、８…切り欠き、９…開口、１０…照明光学系、１０ａ…光源装置、１１…電気光学装置、１２…投写光学系、１３…駆動部、Ａ…光軸（Ｚ軸）、Ｆ…エアーフロー、Ｐ１，Ｐ２…焦点位置。
【図１】
2005309121.tif 000003
【図２】
2005309121.tif 000004
【図３】
2005309121.tif 000005
【図４】
2005309121.tif 000006
【図５】
2005309121.tif 000007
【図６】
2005309121.tif 000008
【図７】
2005309121.tif 000009